(57)【要約】【課題】組立作業性が改善でき、且つ、外観を損なうことがないパネル構造及び記録装置を提供する。【解決手段】パネル本体３０の一辺に沿って立設されたリブ部３１と嵌合する溝部４１を備える化粧ベルト４０がパネル本体３０の一辺に沿って取り付けられる操作パネル２０であって、リブ部３１上の所定局部に立設された嵌合凸部３２と、溝部４１内に設けられて、嵌合凸部３２と嵌合する嵌合凹部４２とを有するという構成を採用する。【選択図】図７
2011102018.tif 000002
【特許請求の範囲】
【請求項１】
パネル本体の一辺に沿って立設されたリブ部と嵌合する溝部を備える化粧部材が前記パネル本体の一辺に沿って取り付けられるパネル構造であって、
前記リブ部上の所定局部に立設された嵌合凸部と、
前記溝部内に設けられて、前記嵌合凸部と嵌合する嵌合凹部とを有することを特徴とするパネル構造。
【請求項２】
前記嵌合凸部及び前記嵌合凹部は、前記パネル本体の一辺の両端部に対応する位置にそれぞれ設けられていることを特徴とする請求項１に記載のパネル構造。
【請求項３】
前記嵌合凹部は、第１面に形成された前記溝部の底部を、前記第１面と逆側の第２面に開口するように貫通して形成された貫通穴を有し、
前記嵌合凸部は、前記貫通穴を前記第１面側から通過して前記第２面に係合するフック部が設けられていることを特徴とする請求項１または２に記載のパネル構造。
【請求項４】
前記第１面は、前記パネル本体への当接面であり、
前記第２面は、前記パネル本体との間で前記化粧部材を挟持する挟持部材への第２当接面に形成された凹部に設けられ、
前記嵌合凸部の厚さは、前記第２面と前記第２当接面との間の距離よりも小さいことを特徴とする請求項３に記載のパネル構造。
【請求項５】
請求項１〜４のいずれか一項に記載のパネル構造を有することを特徴とする記録装置。
【発明の詳細な説明】
【技術分野】
【０００１】
本発明は、パネル構造及び記録装置に関する。
【背景技術】
【０００２】
記録媒体に記録処理を実施する記録装置は、例えば記録ヘッドを備えてインクジェットによる記録処理を実施する形態や、感光体に静電潜像を形成し、トナー像を記録媒体に転写して記録処理を実施する形態等がある。
記録装置は、例えば下記特許文献１のように、所定の情報を表示する表示部や所定の情報を入力するボタン部を有する操作パネルを備えて、ユーザーが該操作パネルを操作することで記録処理に係る所望の設定や操作を行う。
【先行技術文献】
【特許文献】
【０００３】
【特許文献１】特開２００７−８１２４８号公報
【発明の概要】
【発明が解決しようとする課題】
【０００４】
ところで、外観の向上を図るために、操作パネルの一辺に沿って化粧部材を取り付けることがなされている。当該取り付けは、例えば、パネル本体の一辺に沿ってリブ部を設け、一方の化粧部材にリブ部と嵌合する溝部を設け、両者を嵌合させて仮止めをした後、パネル本体と挟持部材との間で化粧部材を挟み込む組立作業にて行う。
しかしながら、化粧部材は、パネル本体の一辺に沿う長さを有するため、リブ部に対して反るような変形が生じ易い。また、装置の仕様によってはスペースの問題で、リブ部の高さを確保することが難しい場合がある。このため、仮止めの際に、化粧部材がパネル本体から容易に外れてしまうという問題がある。したがって、従来では、化粧部材を指で押さえながら、という煩雑な組立作業を行わなければならなかった。
【０００５】
本発明は、上記問題点に鑑みてなされたもので、組立作業性が改善でき、且つ、外観を損なうことがないパネル構造及び記録装置を提供することを目的としている。
【課題を解決するための手段】
【０００６】
上記の課題を解決するために、本発明は、パネル本体の一辺に沿って立設されたリブ部と嵌合する溝部を備える化粧部材が上記パネル本体の一辺に沿って取り付けられるパネル構造であって、上記リブ部上の所定局部に立設された嵌合凸部と、上記溝部内に設けられて、上記嵌合凸部と嵌合する嵌合凹部とを有するという構成を採用する。
このような構成を採用することによって、本発明では、リブ部と溝部との嵌合に加えて、リブ部と溝部との間で局部的に嵌合する第２の嵌合箇所を設けることによって、パネル本体からの化粧部材の外れを防止する。また、第２の嵌合箇所を構成する嵌合凸部はリブ部上に立設され、一方の嵌合凹部は溝部内に設けられるので、パネル構造の外観は保たれる。
【０００７】
また、本発明においては、上記嵌合凸部及び上記嵌合凹部は、上記パネル本体の一辺の両端部に対応する位置にそれぞれ設けられているという構成を採用する。
このような構成を採用することによって、本発明では、パネル本体の一辺の両端部において局部的に嵌合させることで、化粧部材のリブ部に対する反りを規制する。
【０００８】
また、本発明においては、上記嵌合凹部は、第１面に形成された上記溝部の底部を、上記第１面と逆側の第２面に開口するように貫通して形成された貫通穴を有し、上記嵌合凸部は、上記貫通穴を上記第１面側から通過して上記第２面に係合するフック部が設けられているという構成を採用する。
このような構成を採用することによって、本発明では、フック部を、溝部の底部を貫通する貫通穴を通して該溝部が形成された第１面と逆側の第２面にて係合させることで、リブ部と溝部との嵌合方向における離間を規制する。
【０００９】
また、本発明においては、上記第１面は、上記パネル本体への当接面であり、上記第２面は、上記パネル本体との間で上記化粧部材を挟持する挟持部材への第２当接面に形成された凹部に設けられ、上記嵌合凸部の厚さは、上記第２面と上記第２当接面との間の距離よりも小さいという構成を採用する。
このような構成を採用することによって、本発明では、挟持部材が当接する第２当接面への嵌合凸部の突出を避けて、パネル本体と挟持部材との間で化粧部材を適切に挟持させる。
【００１０】
また、本発明においては、先に記載のパネル構造を有する記録装置を採用する。
【図面の簡単な説明】
【００１１】
【図１】本発明の実施形態におけるインクジェットプリンターを示す斜視図である。
【図２】本発明の実施形態における操作パネルを示す右側面図である。
【図３】本発明の実施形態におけるパネル本体の要部を示す斜視図である。
【図４】本発明の実施形態における化粧ベルトを示す斜視図である。
【図５】本発明の実施形態におけるパネル本体と化粧ベルトとの仮止めの様子を示す図である。
【図６】本発明の実施形態における操作パネルの要部拡大斜視図である。
【図７】図６が示す要部の線視Ａ−Ａ断面図である。
【発明を実施するための形態】
【００１２】
以下、本発明に係るパネル構造及び記録装置の実施形態について、図を参照して説明する。なお、以下の説明に用いる各図面では、各部材を認識可能な大きさとするため、各部材の縮尺を適宜変更している。本実施形態では、本発明に係るパネル構造を有する記録装置として、操作パネルを有するインクジェット式プリンター（以下、インクジェットプリンターと称する）を例示する。
【００１３】
図１は、本発明の実施形態におけるインクジェットプリンター１を示す斜視図である。
インクジェットプリンター１は、記録用紙（記録媒体）をスタックするスタック部１０と、ユーザーが所定の情報を入力する操作パネル２０とを有する。
【００１４】
スタック部１０は、ハウジング２に形成された取出口３において、給紙トレイ１１上に排紙トレイ１２が設けられる構成となっている。給紙トレイ１１は、記録用紙の取出方向下流側（装置手前側）に引き出し可能な構成となっている。
操作パネル２０は、スタック部１０の上部に設けられており、ハウジング２と同一面を形成する基準角度から所定の角度へと変位可能なチルト機構を備える。また、操作パネル２０には、後述する化粧ベルト（化粧部材）４０がパネルの上部の長辺に沿って取り付けられており、基準角度に位置するときに、ハウジング２に設けられた化粧ベルト２ａと連続的なラインデザインを構成する。
【００１５】
インクジェットプリンター１は、操作パネル２０から指令が入力されると、給紙トレイ１１にスタックされている記録用紙を一枚ずつピックアップして、ハウジング２内に配置された不図示の記録ヘッドを走査させ、記録用紙にインクを噴射し、文字や画像等の所望の情報を記録する記録処理を実施する。記録処理を経た記録用紙は、給紙トレイ１１上に配置された排紙トレイ１２上に排紙されてスタックされる。
【００１６】
次に、図２〜図５を参照して、本実施形態の操作パネル２０の構成について詳しく説明する。
図２は、本発明の実施形態における操作パネル２０を示す右側面図である。
図３は、本発明の実施形態におけるパネル本体３０の要部を示す斜視図である。
図４は、本発明の実施形態における化粧ベルト４０を示す斜視図である。
図５は、本発明の実施形態におけるパネル本体３０と化粧ベルト４０との仮止めの様子を示す図である。
図６は、本発明の実施形態における操作パネル２０の要部拡大斜視図である。
図７は、図６が示す要部の線視Ａ−Ａ断面図である。
【００１７】
図２に示すように、操作パネル２０は、操作パネル２０の前方の外装を構成すると共に表示部及びボタン部が設けられるパネル本体３０と、パネル本体３０の一辺に沿って設けられる化粧ベルト４０と、操作パネル２０の後方の外装を構成すると共にパネル本体３０との間で化粧ベルト４０を挟持するロアカバー（挟持部材）５０とを有する。なお、ロアカバー５０には、回転軸５１が設けられており、操作パネル２０は、該回転軸５１を中心に所望の角度に変位可能な構成となっている。
【００１８】
図３に示すように、パネル本体３０は、化粧ベルト４０が取り付けられる一辺に沿って立設されたリブ部３１を有する。リブ部３１は、パネル本体３０の端面３０ａから所定高さで設けられ、パネル本体３０の一辺の全体に亘って延在している。
このリブ部３１上の局部には、嵌合凸部３２が設けられる。本実施形態の嵌合凸部３２は、パネル本体３０の一辺の両端部に対応する位置に設けられる。嵌合凸部３２の先端部には、立設方向と直交する方向に屈曲した形状のフック部３３が設けられる。
【００１９】
図４に示すように、化粧ベルト４０は、リブ部３１と嵌合する溝部４１と、嵌合凸部３２と嵌合する嵌合凹部４２とを有する。図４（ｂ）に示すように、溝部４１は、パネル本体３０への当接面となる化粧ベルト４０の下面（第１面，当接面）４０ａに形成されている。溝部４１は、リブ部３１の高さに対応した深さを有し、リブ部３１と同様の幅を有する。また、化粧ベルト４０には、ロアカバー５０への当接面である上面（第２当接面）４０ｂが設けられる。下面４０ａと上面４０ｂとは、溝部４１の深さ方向において互いに逆側となるように配置される。
【００２０】
溝部４１内の局部には、嵌合凹部４２が設けられる。本実施形態の嵌合凹部４２は、嵌合凸部３２と同様に、パネル本体３０の一辺の両端部に対応する位置に設けられる。図４（ａ）に示すように、嵌合凹部４２は、下面４０ａに形成された溝部４１の底部を貫通する貫通穴４３を有する。貫通穴４３は、下面４０ａと逆側の上面４０ｂ及び、上面４０ｂから所定深さ掘り込まれた凹部４４の係合面（第２面）４４ａに開口するように形成されている。また、貫通穴４３は、嵌合凸部３２の幅より大きく（図５、図６参照後述）なるように形成されている。
【００２１】
続いて、上記構成のパネル本体３０と化粧ベルト４０との仮止めについて説明する。
図５に示すように、化粧ベルト４０は、パネル本体３０の一辺に沿って延在する形状を有するため、リブ部３１に対して反るような変形（図５において２点鎖線で示す）が生じ易い。また、化粧ベルト４０をポリプロピレン等の可撓性を有する樹脂材で構成すると、反りが大きくなり、外れ易くなる。
本実施形態では、パネル本体３０の一端部においてパネル本体３０の嵌合凸部３２と化粧ベルト４０の嵌合凹部４２とを嵌合させ、該一端部から他端部に向かってパネル本体３０のリブ部３１と化粧ベルト４０の溝部４１とを合わせ込み、パネル本体３０の他端部においてパネル本体３０の嵌合凸部３２と化粧ベルト４０の嵌合凹部４２とを嵌合させることで仮止めを行う。このように、本実施形態では、パネル本体３０の一辺の両端部において局部的にパネル本体３０と化粧ベルト４０とを嵌合させ、化粧ベルト４０のリブ部３１に対する反りを規制する。
【００２２】
図６及び図７に示すように、嵌合凹部４２は、溝部４１の底部を貫通して形成された貫通穴４３を有し、嵌合凸部３２のフック部３３は、貫通穴４３を下面４０ａ側から通過して下面４０ａの逆側の係合面４４ａに係合する。図７に示すように、フック部３３の長さは、貫通穴４３より大きく、フック部３３は、圧入により貫通穴４３を通過する。なお、貫通穴４３は、嵌合凸部３２（フック部３３）の長さ方向と直交する方向の幅より大きくなるように形成され、フック部３３の圧入による変形代を確保している（図６参照）。フック部３３が貫通穴４３を通過して係合面４４ａに乗り上がると、化粧ベルト４０がフック部３３と端面３０ａとの間で挟み込まれ、リブ部３１と溝部４１との嵌合方向における離間が規制される。
【００２３】
また、図７に示すように、嵌合凸部３２の厚さは、係合面４４ａと上面４０ｂとの間の距離よりも小さくなるように設計されている。これにより、本実施形態では、ロアカバー５０が当接する上面４０ｂへの嵌合凸部３２の突出を避けて、パネル本体３０とロアカバー５０との間で化粧ベルト４０を適切に挟持させることが可能となる。
【００２４】
したがって、上述した本実施形態によれば、パネル本体３０の一辺に沿って立設されたリブ部３１と嵌合する溝部４１を備える化粧ベルト４０がパネル本体３０の一辺に沿って取り付けられる操作パネル２０であって、リブ部３１上の所定局部に立設された嵌合凸部３２と、溝部４１内に設けられて、嵌合凸部３２と嵌合する嵌合凹部４２とを有するという構成を採用し、リブ部３１と溝部４１との嵌合に加えて、リブ部３１と溝部４１との間で局部的に嵌合する第２の嵌合箇所を設けることによって、パネル本体３０からの化粧ベルト４０の外れを防止する。また、第２の嵌合箇所を構成する嵌合凸部３２はリブ部３１上に立設され、一方の嵌合凹部４２は溝部４１内に設けられるので、操作パネル２０の外観は保たれる。
したがって、本実施形態では、組立作業性が改善でき、且つ、外観を損なうことがない操作パネル２０が得られる。
【００２５】
以上、図面を参照しながら本発明の好適な実施形態について説明したが、本発明は上記実施形態に限定されるものではない。上述した実施形態において示した各構成部材の諸形状や組み合わせ等は一例であって、本発明の主旨から逸脱しない範囲において設計要求等に基づき種々変更可能である。
【００２６】
例えば、上述の実施形態においては、記録装置がインクジェットプリンター１である場合を例にして説明したが、インクジェットプリンターに限られず、複写機及びファクシミリ等の装置であってもよい。
【符号の説明】
【００２７】
１…インクジェットプリンター（記録装置）、２０…操作パネル（パネル構造）、３０…パネル本体、３１…リブ部、３２…嵌合凸部、３３…フック部、４０…化粧ベルト（化粧部材）、４０ａ…下面（第１面，当接面）、４０ｂ…上面（第２の当接面）、４１…溝部、４２…嵌合凹部、４３…貫通穴、４４…凹部、４４ａ…係合面、５０…ロアカバー（挟持部材）
【図１】
2011102018.tif 000003
【図２】
2011102018.tif 000004
【図３】
2011102018.tif 000005
【図４】
2011102018.tif 000006
【図５】
2011102018.tif 000007
【図６】
2011102018.tif 000008
【図７】
2011102018.tif 000009